(57)【要約】  無線通信システムにおいて要求条件が異なる複数のユースケースが共存する場合であっても、各ユースケースを適切に制御するために、本開示の一態様に係るユーザ端末は、第１の変調及び符号化方式（ＭＣＳ）テーブル、及び前記第１のＭＣＳテーブルに規定された最小の符号化率より低い符号化率が規定された第２のＭＣＳテーブルの少なくとも一つを利用してＵＬ送信を行う送信部と、適用するＭＣＳテーブルの種別に応じて、前記ＵＬ送信の送信条件を別々に制御する制御部と、を有する。
2020031357.tif 000002
【特許請求の範囲】
【請求項１】
第１の変調及び符号化方式（ＭＣＳ）テーブル、及び前記第１のＭＣＳテーブルに規定された最小の符号化率より低い符号化率が規定された第２のＭＣＳテーブルの少なくとも一つを利用してＵＬ送信を行う送信部と、
適用するＭＣＳテーブルの種別に応じて、前記ＵＬ送信の送信条件を別々に制御する制御部と、を有することを特徴とするユーザ端末。
【請求項２】
前記制御部は、適用するＭＣＳテーブルの種別に応じて送信電力制御コマンドの蓄積を別々に行うことを特徴とする請求項１に記載のユーザ端末。
【請求項３】
前記制御部は、適用するＭＣＳテーブルの種別に応じて送達確認信号の送信に利用するコードブックを別々に生成することを特徴とする請求項１に記載のユーザ端末。
【請求項４】
前記制御部は、適用するＭＣＳテーブルの種別に応じて参照信号の配置を別々に制御することを特徴とする請求項１に記載のユーザ端末。
【請求項５】
前記制御部は、適用するＭＣＳテーブルの種別に応じて上り制御チャネルのリソースの選択を行うことを特徴とする請求項１に記載のユーザ端末。
【請求項６】
前記制御部は、適用するＭＣＳテーブルの種別に応じて前記ＵＬ送信の繰り返し回数を別々に制御することを特徴とする請求項１に記載のユーザ端末。
【発明の詳細な説明】
【技術分野】
【０００１】
本開示は、次世代移動通信システムにおけるユーザ端末に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、３ＧＰＰ  Ｒｅｌ．８−１４）では、ユーザ端末（ＵＥ：User  Equipment）は、基地局からの下り制御情報（ＤＣＩ：Downlink  Control  Information、ＤＬアサインメント等ともいう）に基づいて、物理下り共有チャネル（例えば、ＰＤＳＣＨ：Physical  Downlink  Shared  Channel）の受信を制御する。また、ＵＥは、ＤＣＩ（ＵＬグラント等ともいう）に基づいて、物理上り共有チャネル（例えば、ＰＵＳＣＨ：Physical  Uplink  Shared  Channel）の送信を制御する。ＵＥは、所定の変調及び符号化方式（ＭＣＳ：Modulation  and  Coding  Scheme）テーブルを利用して、ＰＤＳＣＨの受信（又は、ＰＵＳＣＨの送信）を制御する。【０００５】
また、ＵＥは、所定のチャネル品質識別子（ＣＱＩ：Channel  Quality  Indicator）テーブルを利用して、チャネル状態情報（ＣＳＩ：Channel  State  Information）の送信を行う。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（例えば、５Ｇ（5th  generation  mobile  communication  system）、ＮＲ（New  Radio））では、モバイルブロードバンドのさらなる高度化（ｅＭＢＢ：enhanced  Mobile  Broadband）、多数同時接続を実現するマシンタイプ通信（ｍＭＴＣ：massive  Machine  Type  Communications）、高信頼かつ低遅延通信（ＵＲＬＬＣ：Ultra-Reliable  and  Low-Latency  Communications）などのユースケースが想定される。例えば、ＵＲＬＬＣでは、ｅＭＢＢよりも高い遅延削減、及び、ｅＭＢＢよりも高い信頼性が要求される。【０００８】
このように、ＮＲでは、要求条件が異なる様々なユースケース（例えば、ｅＭＢＢ、ＵＲＬＬＣ等）が想定されている。しかし、現在検討が進んでいる仕様（例えば、Ｒｅｌ．１５）では、ｅＭＢＢとＵＲＬＬＣの送受信動作の多くが共通に規定されている。この場合、ＵＲＬＬＣに対してパフォーマンスが十分でなくなる、又はｅＭＢＢに対して過剰なパフォーマンスとなるおそれがある。【０００９】
本開示はかかる点に鑑みてなされたものであり、無線通信システムにおいて要求条件が異なる複数のユースケースが共存する場合であっても、各ユースケースを適切に制御することが可能なユーザ端末を提供することを目的の１つとする。
【課題を解決するための手段】
【００１０】
本開示の一態様に係るユーザ端末は、第１の変調及び符号化方式（ＭＣＳ）テーブル、及び前記第１のＭＣＳテーブルに規定された最小の符号化率より低い符号化率が規定された第２のＭＣＳテーブルの少なくとも一つを利用してＵＬ送信を行う送信部と、適用するＭＣＳテーブルの種別に応じて、前記ＵＬ送信の送信条件を別々に制御する制御部と、を有することを特徴とする。
【発明の効果】
【００１１】
本開示の一態様によれば、無線通信システムにおいて要求条件が異なる複数のユースケースが共存する場合であっても、各ユースケースを適切に制御することが可能となる。
【図面の簡単な説明】
【００１２】
【図１】図１Ａ及び図１Ｂは、ＭＣＳテーブル１、２の一例を示す図である。
【図２】図２は、ＭＣＳテーブル３の一例を示す図である。
【図３】図３は、本実施の形態におけるユースケース毎の送受信制御の一例を示す図である。
【図４】図４は、一実施形態に係る無線通信システムの概略構成の一例を示す図である。
【図５】図５は、一実施形態に係る基地局の全体構成の一例を示す図である。
【図６】図６は、一実施形態に係る基地局の機能構成の一例を示す図である。
【図７】図７は、一実施形態に係るユーザ端末の全体構成の一例を示す図である。
【図８】図８は、一実施形態に係るユーザ端末の機能構成の一例を示す図である。
【図９】図９は、一実施形態に係る基地局及びユーザ端末のハードウェア構成の一例を示す図である。
【発明を実施するための形態】
【００１３】
ＮＲでは、様々なユースケースに対応するために、既存のＬＴＥシステムでは規定されていない新規のＭＣＳテーブル及びＣＱＩテーブルを導入することが想定される。新規のテーブルは、既存のテーブルと比較して符号化率が低い候補（インデックス）が規定された内容であってもよい。
【００１４】
また、新規のＭＣＳテーブルの導入にあたり、当該新規のＭＣＳテーブルを指定するために新規のＲＮＴＩ（ｍｃｓ−Ｃ−ＲＮＴＩと呼んでもよい）を利用することも考えられる。以下に、ＮＲで新規に導入されるＭＣＳテーブルとＲＮＴＩの一例について説明する。
【００１５】
＜ＭＣＳテーブル＞
ＮＲでは、ＤＣＩに含まれる所定フィールドに基づいて、当該ＤＣＩによりスケジューリングされる物理共有チャネルの変調方式（又は変調次数）及び符号化率の少なくとも一つ（変調次数／符号化率）を制御することが検討されている。例えば、ＵＥは、ＰＤＳＣＨをスケジューリングするＤＣＩ（例えば、ＤＣＩフォーマット１＿０、１＿１）に含まれる変調及び符号化方式（ＭＣＳ：Modulation  and  Coding  Scheme）フィールドに基づいて、ＰＤＳＣＨの受信処理を制御する。
【００１６】
具体的には、ＵＥは、ＭＣＳインデックスと、変調次数（Modulation  order）と、符号化率（Code  rate）と、が関連付けられて定義されたテーブル（ＭＣＳテーブルとも呼ぶ）と、ＤＣＩで指定されるＭＣＳインデックスとに基づいてＰＤＳＣＨの受信を行う。同様に、ＵＥは、ＭＣＳテーブルと、ＰＵＳＣＨをスケジューリングするＤＣＩで指定されるＭＣＳインデックスとに基づいてＰＵＳＣＨの送信を行う。
【００１７】
各変調次数は、各変調方式に対応する値である。例えば、ＱＰＳＫ（Quadrature  Phase  Shift  Keying）の変調次数は２、１６ＱＡＭ（Quadrature  Amplitude  Modulation）の変調次数は４、６４ＱＡＭの変調次数は６、２５６ＱＡＭの変調次数は８に対応する。
【００１８】
図１は、ＭＣＳテーブルの一例を示す図である。なお、図１に示すＭＣＳテーブルの値は、例示にすぎず、これに限られない。また、ＭＣＳインデックス（ＩＭＣＳ）に関連付けられる一部の項目（例えば、スペクトル効率）は省略されてもよいし、他の項目が追加されてもよい。
【００１９】
図１Ａは、変調次数としてＱＰＳＫ、１６ＱＡＭ、及び６４ＱＡＭが規定され、図１Ｂは、変調次数としてＱＰＳＫ、１６ＱＡＭ、６４ＱＡＭ、及び２５６ＱＡＭが規定されている。また、図１Ａ及び図１Ｂでは、最小の符号化率（ＭＣＳインデックス０）が１２０（×１０２４）となるように定義されている。
【００２０】
図１ＡのＭＣＳテーブルは、ＰＤＳＣＨ用のＭＣＳテーブル１、６４ＱＡＭテーブル、又はｑａｍ６４と呼ばれてもよい。図１ＢのＭＣＳテーブルは、ＰＤＳＣＨ用のＭＣＳテーブル２、２５６ＱＡＭテーブル、又はｑａｍ２５６と呼ばれてもよい。なお、図１に示す６４ＱＡＭテーブルと、２５６ＱＡＭテーブルは、既存のＬＴＥシステムにおいても規定されている。
【００２１】
ＮＲでは、既存のＬＴＥシステムより低遅延及び高信頼性が要求されるケース（例えば、ＵＲＬＬＣ等）も想定される。このようなケースに対応するために、既存のＬＴＥシステムで規定されているＭＣＳテーブルと異なる新規のＭＣＳテーブルが導入されることが想定される。
【００２２】
図２に新規のＭＣＳテーブルの一例を示す。なお、図２に示すＭＣＳテーブルの値は、例示にすぎず、これに限られない。図２では、変調次数としてＱＰＳＫ、１６ＱＡＭ、及び６４ＱＡＭが規定され、最小の符号化率（ＭＣＳインデックス０）が３０（×１０２４）となるように定義されている。図２のＭＣＳテーブルは、ＰＤＳＣＨ用のＭＣＳテーブル３、新規ＭＣＳテーブル、又はｑａｍ６４ＬｏｗＳＥと呼ばれてもよい。
【００２３】
このように、新規ＭＣＳテーブル（ＭＣＳテーブル３）は、図１に示すＭＣＳテーブル（ＭＣＳテーブル１、ＭＣＳテーブル２）に規定された最小の符号化率（例えば、１２０）より低い符号化率（例えば、３０）が規定されたテーブルであってもよい。あるいは、ＭＣＳテーブル３は、ＭＣＳテーブル１又はＭＣＳテーブル２と比較した場合、同一のＭＣＳインデックスにおける符号化率が低く設定されたテーブルであってもよい。
【００２４】
ＵＥは、以下の条件（１）−（３）の少なくとも一つに基づいて、ＰＤＳＣＨの変調次数／符号化率の決定に利用するＭＣＳテーブルを選択してもよい。
（１）所定ＲＮＴＩの設定有無
（２）ＭＣＳテーブルを指定する情報（ＭＣＳテーブル情報）の通知
（３）ＤＣＩ（又は、ＰＤＣＣＨ）及びＰＤＳＣＨの少なくとも一方のＣＲＣスクランブルに適用されるＲＮＴＩ種別
【００２５】
例えば、ＵＥに対して所定ＲＮＴＩ（ｍｃｓ−Ｃ−ＲＮＴＩ、又はｎｅｗ−ＲＮＴＩと呼んでもよい）が上位レイヤ（例えば、ＲＲＣシグナリング）で設定されない場合を想定する。この場合、ＵＥは、上位レイヤパラメータ（例えば、mcs-table）で指定されるＭＣＳテーブル情報に基づいて、適用するＭＣＳテーブルを決定してもよい。
【００２６】
ＭＣＳテーブル情報は、ＭＣＳテーブル１、ＭＣＳテーブル２（例えば、ｑａｍ２５６）、又はＭＣＳテーブル３（例えば、ｑａｍ６４ＬｏｗＳＥ）のいずれかを指定する情報であってもよい。あるいは、ＭＣＳテーブル情報は、ＭＣＳテーブル２（例えば、ｑａｍ２５６）、又はＭＣＳテーブル３（例えば、ｑａｍ６４ＬｏｗＳＥ）のいずれかを指定する情報であってもよい。
【００２７】
ＵＥは、ＭＣＳテーブル２が設定された場合、ＭＳＣテーブル２を適用してＰＤＳＣＨの受信を制御する。
【００２８】
ＵＥは、新規ＭＣＳテーブル（ＭＣＳテーブル３）が設定された場合、ＤＣＩの送信に利用されるサーチスペース種別に基づいて、適用するＭＣＳテーブルを決定してもよい。例えば、ＵＥは、新規ＭＣＳテーブルが設定された場合であっても、ＤＣＩ（例えば、ＤＣＩフォーマット０＿０、１＿０）がコモンサーチスペースで送信された場合、ＭＣＳテーブル１を利用する。一方で、ＵＥは、新規ＭＣＳテーブルが設定され、ＤＣＩ（例えば、ＤＣＩフォーマット０＿０、１＿０、０＿１、１＿０）がＵＥ固有サーチスペースで送信された場合、ＭＣＳテーブル３を利用する。なお、ＵＬ（ＰＵＳＣＨ送信）とＤＬ（ＰＤＳＣＨ受信）について、それぞれ別々にＭＣＳテーブルが設定されてもよい。
【００２９】
次に、ＵＥに対してＭＣＳテーブルの選択に利用される所定ＲＮＴＩが上位レイヤ（例えば、ＲＲＣシグナリング）で設定される場合を想定する。この場合、ＵＥは、ＤＣＩ（又は、ＰＤＣＣＨ）及びＰＤＳＣＨの少なくとも一方のＣＲＣスクランブルに適用されるＲＮＴＩ種別に基づいて、ＭＣＳテーブルを決定してもよい。例えば、ＰＤＳＣＨのＣＲＣが所定ＲＮＴＩでスクランブルされている場合、ＵＥは新規ＭＣＳテーブル（ＭＣＳテーブル３）を利用してＰＤＳＣＨの受信を行う。
【００３０】
また、セミパーシステントスケジューリング（ＤＬ−ＳＰＳ）により送信されるＰＤＳＣＨに対しては、上位レイヤパラメータ（例えば、mcs-Table）により新規ＭＣＳテーブルの設定有無を通知してもよい。ＤＬ−ＳＰＳ用の新規ＭＣＳテーブルの設定は、ＤＣＩに基づくＰＤＳＣＨ送信（グラントベースＤＬスケジューリング）とは独立して設定されてもよい。
【００３１】
なお、図１−２に示されるテーブルを用いる条件は、上記の条件に限られない。
【００３２】
このように、ＮＲでは、要求条件が異なる様々なユースケース（例えば、ｅＭＢＢ、ＵＲＬＬＣ等）を想定して、より低い符号化率が規定された新規のＭＣＳテーブルがサポートされる。一方で、現在検討が進んでいる仕様（例えば、Ｒｅｌ．１５）では、ｅＭＢＢとＵＲＬＬＣの送受信動作の多くが共通に規定されている。この場合、ＵＲＬＬＣに対してパフォーマンスが十分でなくなる、又はｅＭＢＢに対して過剰なパフォーマンスとなるおそれがある。
【００３３】
そこで、本発明者らは、所定のＵＬ送信方法及びＤＬ受信方法の少なくとも一つについて、要求条件が異なるユースケースごとに異なる送受信条件及びパラメータの少なくとも一つを適用して制御することを着想した（図３参照）。
【００３４】
例えば、ＵＥは、ＤＣＩで指定されたＭＣＳテーブル種別、ＤＣＩ（又は、ＰＤＣＣＨ）のＣＲＣスクランブルに適用されるＲＮＴＩ種別、及び設定されるリソース種別の少なくとも一つに基づいて、適用する送受信条件／パラメータを選択する。図３では、送受信条件／パラメータが２つである場合を示しているが、これに限られず送受信条件／パラメータは３つ以上としてもよい。パラメータは、送受信に適用するパラメータであればよく、例えば、上位レイヤパラメータであってもよい。
【００３５】
以下、本開示に係る実施形態について、詳細に説明する。本実施形態に係る態様は、それぞれ単独で適用されてもよいし、組み合わせて適用されてもよい。なお、以下の説明では、要求条件が異なるユースケースとして、第１の通信サービス（例えば、ｅＭＢＢ）と第２の通信サービス（例えば、ＵＲＬＬＣ）を例に挙げて説明するが、本実施の形態が適用可能なユースケースはこれに限られない。
【００３６】
本明細書において、新規ＭＣＳテーブル（例えば、ＭＣＳテーブル３）を適用するＤＬ送信及びＵＬ送信の少なくとも一方は、ＵＲＬＬＣであると想定してもよい。あるいは、既存のＭＣＳテーブル（例えば、ＭＣＳテーブル１、又はＭＣＳテーブル２）を適用するＤＬ送信及びＵＬ送信の少なくとも一方は、ｅＭＢＢであると想定してもよい。
【００３７】
例えば、ＵＥは、新規ＭＣＳテーブルを指示するＤＣＩによりスケジューリング又はトリガされるＵＬチャネル又はＤＬチャネルは、ＵＲＬＬＣが適用されると想定してもよい。一方で、既存のＭＣＳテーブルを指示するＤＣＩによりスケジューリング又はトリガされるＵＬチャネル又はＤＬチャネルは、ｅＭＢＢが適用されると想定してもよい。ＵＬチャネルは、ＰＵＣＣＨ又はＰＵＳＣＨであってもよく、ＤＬチャネルは、ＰＤＳＣＨであってもよい。
【００３８】
あるいは、ＵＥは、所定ＲＮＴＩでＣＲＣスクランブルされたＤＣＩ（又は、ＰＤＣＣＨ）を受信した場合、当該ＤＣＩでスケジューリングされるＵＬチャネル又はＤＬチャネルは、ＵＲＬＬＣが適用されると想定してもよい。あるいは、ＵＲＬＬＣ用とｅＭＢＢ用で異なるＤＣＩ（例えば、ＤＣＩフォーマット）を適用してもよい。
【００３９】
以下の説明において、所定ＲＮＴＩは、ＭＣＳ−ＲＮＴＩ、ｍｃｓ−Ｃ−ＲＮＴＩ、ＵＲＬＬＣ−ＲＮＴＩ、Ｕ−ＲＮＴＩ、Ｙ−ＲＮＴＩ、Ｎｅｗ−ＲＮＴＩ又はＸ−ＲＮＴＩと呼ばれてもよい。つまり、以下の説明において、所定ＲＮＴＩは、ＭＣＳ−ＲＮＴＩ、ＵＲＬＬＣ−ＲＮＴＩ、Ｕ−ＲＮＴＩ、Ｙ−ＲＮＴＩ、及びＸ−ＲＮＴＩの少なくとも一つと読み替えてもよい。
【００４０】
（第１の態様）
第１の態様では、第１の通信サービス（以下、ｅＭＢＢとも記す）のＵＬ送信と、第２の通信サービス（以下、ＵＲＬＬＣとも記す）のＵＬ送信に対して、ＵＬ送信電力を別々に制御する。ＵＬ送信は、上り制御チャネル（例えば、ＰＵＣＣＨ）及び上り共有チャネル（例えば、ＰＵＳＣＨ）の少なくとも一方であってもよい。
【００４１】
まず、ＰＵＣＣＨとＰＵＳＣＨの送信電力制御について説明する。
【００４２】
＜ＰＵＣＣＨ用の送信電力制御＞
ＮＲでは、ＰＵＣＣＨの送信電力は、ＤＣＩ内の所定フィールド（ＴＰＣコマンドフィールド、第１のフィールド等ともいう）の値が示すＴＰＣコマンド（値、増減値、補正値（correction  value）等ともいう）に基づいて制御される。
【００４３】
例えば、電力制御調整状態のインデックスｌを用いたセルｃのキャリアｆのＢＷＰ  ｂについての送信機会（transmission  occasion）（送信期間等ともいう）ｉにおけるＰＵＣＣＨの送信電力（ＰＰＵＣＣＨ、ｂ，ｆ，ｃ（ｉ，ｑｕ，ｑｄ，ｌ））は、下記式（１）で表されてもよい。
【００４４】
ここで、電力制御調整状態は、上位レイヤパラメータによって複数の状態（例えば、２状態）を有するか、又は、単一の状態を有するかが設定されてもよい。また、複数の電力制御調整状態が設定される場合、インデックスｌ（例えば、ｌ∈｛０，１｝）によって当該複数の電力制御調整状態の一つが識別されてもよい。電力制御調整状態は、ＰＵＣＣＨ電力制御調整状態（PUCCH  power  control  adjustment  state）、第１又は第２の状態等と呼ばれてもよい。
【００４５】
また、ＰＵＣＣＨの送信機会ｉは、ＰＵＣＣＨが送信される所定期間であり、例えば、一以上のシンボル、一以上のスロット等で構成されてもよい。
【００４６】
【数１】
2020031357.tif 000003
式（１）
【００４７】
式（１）において、ＰＣＭＡＸ，ｆ，ｃ（ｉ）は、例えば、送信機会ｉにおけるセルｃのキャリアｆ用に設定されるユーザ端末の送信電力（最大送信電力等ともいう）である。ＰＯ＿ＰＵＣＣＨ，ｂ，ｆ，ｃ（ｑｕ）は、例えば、送信機会ｉにおけるセルｃのキャリアｆのＢＷＰ  ｂ用に設定される目標受信電力に係るパラメータ（例えば、送信電力オフセットに関するパラメータ、送信電力オフセットＰ０、又は、目標受信電力パラメータ等ともいう）である。
【００４８】
ＭＰＵＣＣＨＲＢ，ｂ，ｆ，ｃ（ｉ）は、例えば、セルｃ及びサブキャリア間隔μのキャリアｆの上りＢＷＰ  ｂにおける送信機会ｉ用にＰＵＣＣＨに割り当てられるリソースブロック数（帯域幅）である。ＰＬｂ，ｆ，ｃ（ｑｄ）は、例えば、セルｃのキャリアｆの上りＢＷＰ  ｂに関連付けられる下りＢＷＰ用の参照信号のインデックスｑｄを用いてユーザ端末で計算されるパスロスである。
【００４９】
ΔＦ＿ＰＵＣＣＨ（Ｆ）は、ＰＵＣＣＨフォーマット毎に与えられる上位レイヤパラメータである。ΔＴＦ，ｂ，ｆ，ｃ（ｉ）は、セルｃのキャリアｆの上りＢＷＰ  ｂ用の送信電力調整成分（transmission  power  adjustment  component）（オフセット）である。
【００５０】
ｇｂ，ｆ，ｃ（ｉ，ｌ）は、セルｃ及び送信機会ｉのキャリアｆの上りＢＷＰの上記電力制御調整状態インデックスｌのＴＰＣコマンドに基づく値（例えば、ＴＰＣコマンドの累積値）である。例えば、ＴＰＣコマンドの累積値は、式（２）によって表されてもよい。
【数２】
2020031357.tif 000004
式（２）
【００５１】
式（２）において、δＰＵＣＣＨ，ｂ，ｆ，ｃ（ｉｌａｓｔ，ｉ，ＫＰＵＣＣＨ，ｌ）は、例えば、直前のＰＵＣＣＨの送信機会ｉｌａｓｔの後の送信機会ｉ用にセルｃのキャリアｆの上りＢＷＰ  ｂで検出されるＤＣＩ（例えば、ＤＣＩフォーマット１＿０又は１＿１）内のＴＰＣコマンドフィールド値が示すＴＰＣコマンドであってもよいし、特定のＲＮＴＩ（Radio  Network  Temporary  Identifier）（例えば、ＴＰＣ−ＰＵＣＣＨ−ＲＮＴＩ）でスクランブルされるＣＲＣパリティビットを有する（ＣＲＣスクランブルされる）ＤＣＩ（例えば、ＤＣＩフォーマット２＿２）内のＴＰＣコマンドフィールド値が示すＴＰＣコマンドであってもよい。
【００５２】
なお、式（１）、（２）は例示にすぎず、これに限られない。ユーザ端末は、式（１）（２）に例示される少なくとも一つのパラメータに基づいて、ＰＵＣＣＨの送信電力を制御すればよく、追加のパラメータが含まれてもよいし、一部のパラメータが省略されてもよい。また、上記式（１）、（２）では、あるセルのあるキャリアのＢＷＰ毎にＰＵＣＣＨの送信電力が制御されるが、これに限られない。セル、キャリア、ＢＷＰ、電力制御調整状態の少なくとも一部が省略されてもよい。
【００５３】
＜ＰＵＳＣＨ用の送信電力制御＞
ＮＲでは、ＰＵＳＣＨの送信電力は、ＤＣＩ内の所定フィールド（ＴＰＣコマンドフィールド、第１のフィールド等ともいう）の値が示すＴＰＣコマンド（値、増減値、補正値（correction  value）等ともいう）に基づいて制御される。
【００５４】
例えば、ＵＥが、インデックスｊを有するパラメータセット（オープンループパラメータセット）、電力制御調整状態のインデックスｌを用いて、セルｃのキャリアｆのＢＷＰ  ｂ上でＰＵＳＣＨを送信する場合、ＰＵＳＣＨ送信機会（transmission  occasion）（送信期間等ともいう）ｉにおけるＰＵＳＣＨの送信電力（ＰＰＵＳＣＨ、ｂ，ｆ，ｃ（ｉ，ｊ，ｑｄ，ｌ））は、下記式（３）で表されてもよい。
【００５５】
ここで、電力制御調整状態は、上位レイヤパラメータによって複数の状態（例えば、２状態）を有するか、又は、単一の状態を有するかが設定されてもよい。また、複数の電力制御調整状態が設定される場合、インデックスｌ（例えば、ｌ∈｛０，１｝）によって当該複数の電力制御調整状態の一つが識別されてもよい。電力制御調整状態は、ＰＵＳＣＨ電力制御調整状態（PUSCH  power  control  adjustment  state）、第１又は第２の状態等と呼ばれてもよい。
【００５６】
また、ＰＵＳＣＨの送信機会ｉは、ＰＵＳＣＨが送信される所定期間であり、例えば、一以上のシンボル、一以上のスロット等で構成されてもよい。
【００５７】
【数３】
2020031357.tif 000005
式（３）
【００５８】
式（３）において、ＰＣＭＡＸ，ｆ，ｃ（ｉ）は、例えば、送信機会ｉにおけるセルｃのキャリアｆ用に設定されるユーザ端末の送信電力（最大送信電力等ともいう）である。ＰＯ＿ＰＵＳＣＨ，ｂ，ｆ，ｃ（ｊ）は、例えば、送信機会ｉにおけるセルｃのキャリアｆのＢＷＰ  ｂ用に設定される目標受信電力に係るパラメータ（例えば、送信電力オフセットに関するパラメータ、送信電力オフセットＰ０、目標受信電力パラメータ等ともいう）である。
【００５９】
ＭＰＵＳＣＨＲＢ，ｂ，ｆ，ｃ（ｉ）は、例えば、セルｃ及びサブキャリア間隔μのキャリアｆの上りＢＷＰ  ｂにおける送信機会ｉ用にＰＵＳＣＨに割り当てられるリソースブロック数（帯域幅）である。αｂ，ｆ，ｃ（ｊ）は、上位レイヤパラメータによって提供される値（例えば、msg3-Alpha、p0-PUSCH-Alpha、フラクショナル因子等ともいう）である。
【００６０】
ＰＬｂ，ｆ，ｃ（ｑｄ）は、例えば、セルｃのキャリアｆの上りＢＷＰ  ｂに関連付けられる下りＢＷＰ用の参照信号のインデックスｑｄを用いてユーザ端末で計算されるパスロス（パスロス補償）である。
【００６１】
ΔＴＦ，ｂ，ｆ，ｃ（ｉ）は、セルｃのキャリアｆの上りＢＷＰ  ｂ用の送信電力調整成分（transmission  power  adjustment  component）（オフセット、送信フォーマット補償）である。
【００６２】
ｆｂ，ｆ，ｃ（ｉ，ｌ）は、セルｃ及び送信機会ｉのキャリアｆの上りＢＷＰの上記電力制御調整状態インデックスｌのＴＰＣコマンドに基づく値（例えば、ＴＰＣコマンドの累積値、クローズドループによる値）である。例えば、ＴＰＣコマンドの累積値は、式（４）によって表されてもよい。
【数４】
2020031357.tif 000006
式（４）
【００６３】
式（４）において、δＰＵＳＣＨ，ｂ，ｆ，ｃ（ｉｌａｓｔ，ｉ，ＫＰＵＳＣＨ，ｌ）は、例えば、直前のＰＵＳＣＨの送信機会ｉｌａｓｔの後の送信機会ｉ用にセルｃのキャリアｆの上りＢＷＰ  ｂで検出されるＤＣＩ（例えば、ＤＣＩフォーマット０＿０又は０＿１）内のＴＰＣコマンドフィールド値が示すＴＰＣコマンドであってもよいし、特定のＲＮＴＩ（Radio  Network  Temporary  Identifier）（例えば、ＴＰＣ−ＰＵＳＣＨ−ＲＮＴＩ）でスクランブルされるＣＲＣパリティビットを有する（ＣＲＣスクランブルされる）ＤＣＩ（例えば、ＤＣＩフォーマット２＿２）内のＴＰＣコマンドフィールド値が示すＴＰＣコマンドであってもよい。
【００６４】
なお、式（３）、（４）は例示にすぎず、これに限られない。ユーザ端末は、式（３）（４）に例示される少なくとも一つのパラメータに基づいて、ＰＵＳＣＨの送信電力を制御すればよく、追加のパラメータが含まれてもよいし、一部のパラメータが省略されてもよい。また、上記式（３）、（４）では、あるセルのあるキャリアのＢＷＰ毎にＰＵＳＣＨの送信電力が制御されるが、これに限られない。セル、キャリア、ＢＷＰ、電力制御調整状態の少なくとも一部が省略されてもよい。
【００６５】
このように、ＰＵＣＣＨのＵＬ送信電力制御とＰＵＳＣＨの送信電力制御において、基地局から通知されるＴＰＣコマンドを累積してＵＬ送信電力を制御する（例えば、上記式（２）、式（４）等）。
【００６６】
ＵＥは、ｅＭＢＢに対するＴＰＣコマンドと、ＵＲＬＬＣに対するＴＰＣコマンドを別々に（又は、独立して）制御してもよい。例えば、ＵＥは、ＴＰＣコマンドの累積をｅＭＢＢとＵＲＬＬＣで別々に行う。つまり、ｅＭＢＢに対するＴＰＣコマンドの累積（例えば、ｇｂ，ｆ，ｃ（ｉ，ｌ）、ｆｂ，ｆ，ｃ（ｉ，ｌ））等をｅＭＢＢのＵＬ送信内で適用し、ＵＲＬＬＣに対するＴＰＣコマンドの累積等をＵＲＬＬＣのＵＬ送信内で適用する。
【００６７】
また、ＴＰＣコマンドを通信サービス毎に別々に蓄積する方法を適用するか否かについて、上位レイヤシグナリング（例えば、SeparateTPCcommand）を利用して基地局からＵＥに設定してもよい。
【００６８】
通信サービス毎にＴＰＣコマンドの蓄積を別々に行う方法が設定され、ＵＲＬＬＣに対応するＵＬ送信が指示された場合を想定する。ＵＬ送信は、ＰＵＣＣＨ又はＰＵＳＣＨであってもよい。この場合、ＵＥは、ＵＲＬＬＣに対応するＵＬ送信に対して通知されたＴＰＣコマンドの蓄積を独立して行う。
【００６９】
ＵＲＬＬＣに対応するＵＬ送信が指示された場合とは、ＤＣＩにより新規ＭＣＳテーブル（例えば、ＭＣＳテーブル３）が指定される場合、所定ＲＮＴＩでＣＲＣスクランブルされたＤＣＩを受信した場合、及びＤＣＩにより上位レイヤパラメータで設定されたＵＲＬＬＣリソースが指定された場合の少なくとも一つであってもよい。
【００７０】
ＵＥは、ＵＲＬＬＣに対応するＰＵＣＣＨ送信が指示された場合、ＵＲＬＬＣに対応するＰＵＣＣＨ送信用のＴＰＣコマンドの累積に適用する式（ｇURLLCｂ，ｆ，ｃ（ｉ，ｌ））に基づいてＴＰＣの累積を行う。また、ＵＥは、ＵＲＬＬＣに対応するＰＵＳＣＨ送信が指示された場合、ＵＲＬＬＣに対応するＰＵＳＣＨ送信用のＴＰＣコマンドの累積に適用する式（ｆURLLCｂ，ｆ，ｃ（ｉ，ｌ））に基づいてＴＰＣの累積を行う。
【００７１】
それ以外のケース（例えば、ＵＲＬＬＣに対応するＵＬ送信が指示されない場合）には、ＵＥは、ｅＭＢＢに対応するＰＵＣＣＨ送信用のＴＰＣコマンドの累積に適用する式（ｇeMBBｂ，ｆ，ｃ（ｉ，ｌ））に基づいてｅＭＢＢ用のＴＰＣの累積を別途行う。また、ＵＥは、ｅＭＢＢに対応するＰＵＳＣＨ送信が指示された場合、ＵＲＬＬＣに対応するＰＵＳＣＨ送信用のＴＰＣコマンドの累積に適用する式（ｆeMBBｂ，ｆ，ｃ（ｉ，ｌ））に基づいてｅＭＢＢ用のＴＰＣの累積を別途行う。
【００７２】
また、ＵＥは、ＤＬ又はＵＬのスケジュール（又は、トリガ）を行わないＤＣＩでＴＰＣコマンドが通知された場合、当該ＴＰＣコマンドをＵＲＬＬＣ用のＴＰＣコマンド累積値（ｇURLLCｂ，ｆ，ｃ（ｉ，ｌ）、又はｆURLLCｂ，ｆ，ｃ（ｉ，ｌ））と、ｅＭＢＢ用のＴＰＣコマンドの累積値（ｇeMBBｂ，ｆ，ｃ（ｉ，ｌ）、又はｆeMBBｂ，ｆ，ｃ（ｉ，ｌ））の両方に加えるように制御してもよい。これにより、全てのサービスに対するＵＬ送信電力を変更した場合に、１つのＤＣＩを利用して制御することができる。
【００７３】
あるいは、ＵＥは、ＤＬ又はＵＬのスケジュール（又は、トリガ）を行わないＤＣＩでＴＰＣコマンドが通知された場合、当該ＴＰＣコマンドをＵＲＬＬＣ用のＴＰＣコマンド累積値と、ｅＭＢＢ用のＴＰＣコマンドの累積値の一方に加えるように制御してもよい。この場合、ＵＥは、当該ＤＣＩに適用されるＲＮＴＩ又は上位レイヤパラメータに基づいて、いずれの通信サービスのＴＰＣコマンドを累積させるか判断してもよい。
【００７４】
このように、通信サービス（又は、要求条件が異なるサービス）毎にＴＰＣコマンドの適用（例えば、蓄積等）を独立して制御することにより、通信サービス毎に適切な送信電力を設定することができる。
【００７５】
（第２の態様）
第２の態様では、第１の通信サービス（以下、ｅＭＢＢとも記す）のＵＬ送信と、第２の通信サービス（以下、ＵＲＬＬＣとも記す）のＨＡＲＱ−ＡＣＫの送信において、ＨＡＲＱ−ＡＣＫの送信処理（例えば、コードブック生成等）を別々に制御する。
【００７６】
＜ＨＡＲＱ−ＡＣＫコードブック＞
ＮＲでは、ＵＥが、ＨＡＲＱ−ＡＣＫコードブック（ＨＡＲＱ−ＡＣＫサイズと呼ばれてもよい）を、準静的（semi-static）または動的（dynamic）に決定することが想定される。基地局は、ＵＥに対して、ＨＡＲＱ−ＡＣＫコードブックの決定方法を示す情報、たとえば、ＨＡＲＱ−ＡＣＫコードブックが準静的か、動的かを示す情報を、コンポーネントキャリアごと、セルグループ（Cell  Group（ＣＧ））ごと、ＰＵＣＣＨグループごと、またはユーザ端末ごとに、上位レイヤシグナリングにより通知してもよい。
【００７７】
ＨＡＲＱ−ＡＣＫコードブックは、ＰＤＳＣＨのＨＡＲＱ−ＡＣＫコードブック、ＨＡＲＱ−ＡＣＫコードブックサイズ、ＨＡＲＱ−ＡＣＫビット数などで読み替えられてもよい。
【００７８】
ＵＥは、コンポーネントキャリアごと、セルグループごと、ＰＵＣＣＨグループごと、またはユーザ端末ごとに、決定したＨＡＲＱ−ＡＣＫコードブックに基づいて、ＨＡＲＱ−ＡＣＫ情報ビットを決定（生成）し、生成したＨＡＲＱ−ＡＣＫを、上り制御チャネル（ＰＵＣＣＨ）または上り共有チャネル（ＰＵＳＣＨ）の少なくとも一方を用いて送信してもよい。
【００７９】
ＵＥが、ＨＡＲＱ−ＡＣＫコードブックを準静的に決定することを設定される場合、または、準静的なＨＡＲＱ−ＡＣＫコードブックを設定される場合、当該ＨＡＲＱ−ＡＣＫコードブックの決定は、タイプ１ＨＡＲＱ−ＡＣＫコードブック決定と呼ばれてもよい。ＵＥが、ＨＡＲＱ−ＡＣＫコードブックを動的に決定することを設定される場合、または、動的なＨＡＲＱ−ＡＣＫコードブックを設定される場合、当該ＨＡＲＱ−ＡＣＫコードブックの決定は、タイプ２ＨＡＲＱ−ＡＣＫコードブック決定と呼ばれてもよい。
【００８０】
タイプ１ＨＡＲＱ−ＡＣＫコードブックと、準静的ＨＡＲＱ−ＡＣＫコードブックとは、互いに読み替えられてもよい。タイプ２ＨＡＲＱ−ＡＣＫコードブックと、動的ＨＡＲＱ−ＡＣＫコードブックとは、互いに読み替えられてもよい。
【００８１】
ＵＥは、タイプ１ＨＡＲＱ−ＡＣＫコードブック決定では、上位レイヤシグナリングで設定される構成に基づいてＨＡＲＱ−ＡＣＫビット数などを決定してもよい。当該設定される構成は、たとえば、ＨＡＲＱ−ＡＣＫのフィードバックタイミングに関連付けられる範囲にわたってスケジュールされるＤＬ（Downlink）送信、たとえば、ＰＤＳＣＨの最大数または最小数などを含んでいてもよい。
【００８２】
当該範囲は、ＨＡＲＱ−ＡＣＫバンドリングウィンドウ（bundling  window）、ＨＡＲＱ−ＡＣＫフィードバックウィンドウ、バンドリングウィンドウ、フィードバックウィンドウなどとも呼ばれる。バンドリングウィンドウは、空間（space）、時間（time）および周波数（frequency）の少なくとも１つの範囲に該当してもよい。
【００８３】
ＵＥは、タイプ２ＨＡＲＱ−ＡＣＫコードブック決定では、下り制御情報、たとえば、ＤＬアサインメント（assignment）に含まれるＤＬ割当インデックス（Downlink  Assignment  Index（ＤＡＩ））フィールドのビット列に基づいてＨＡＲＱ−ＡＣＫビット数などを決定してもよい。ＤＡＩフィールドは、トータルＤＡＩおよびカウンタＤＡＩの少なくとも一方を指示してもよい。
【００８４】
ＵＥ及び基地局は、ｅＭＢＢのＨＡＲＱ−ＡＣＫ送信に適用するＨＡＲＱ−ＡＣＫコードブックと、ＵＲＬＬＣのＨＡＲＱ−ＡＣＫ送信に適用するＨＡＲＱ−ＡＣＫコードブックとを別々に（又は、独立して）制御してもよい。
【００８５】
例えば、基地局は、ｅＭＢＢのＨＡＲＱ−ＡＣＫ送信に適用するＨＡＲＱ−ＡＣＫコードブックと、ＵＲＬＬＣのＨＡＲＱ−ＡＣＫ送信に適用するＨＡＲＱ−ＡＣＫコードブックとを別々に設定する。例えば、ｅＭＢＢのＨＡＲＱ−ＡＣＫ送信に適用するＨＡＲＱ−ＡＣＫコードブックをタイプ１とし、ＵＲＬＬＣのＨＡＲＱ−ＡＣＫ送信に適用するＨＡＲＱ−ＡＣＫコードブックをタイプ２としてもよい。
【００８６】
ＵＥは、ｅＭＢＢのＨＡＲＱ−ＡＣＫ送信に適用するＨＡＲＱ−ＡＣＫコードブックと、ＵＲＬＬＣのＨＡＲＱ−ＡＣＫ送信に適用するＨＡＲＱ−ＡＣＫコードブックとを別々に生成する。
【００８７】
また、ＨＡＲＱ−ＡＣＫコードブックを通信サービス毎に別々に生成する方法を適用するか否かについて、上位レイヤシグナリング（例えば、SeparateHARQ-ACKcodebook）を利用して基地局からＵＥに設定してもよい。
【００８８】
通信サービス毎にＨＡＲＱ−ＡＣＫコードブックの生成（又は、設定）を別々に行う方法が設定された場合を想定する。ＵＥは、ＰＤＳＣＨを受信した場合、当該ＰＤＳＣＨに対するＨＡＲＱ−ＡＣＫを送信する。かかる場合、ＰＤＳＣＨをスケジューリングするＤＣＩ等により指定されるスロット（又は、ＰＵＣＣＨリソース、シンボル等）でＨＡＲＱ−ＡＣＫ送信を行う。また、ＵＥは、同じスロット（又は、ＰＵＣＣＨリソース、シンボル等）で送信するＨＡＲＱ−ＡＣＫを考慮して、ＨＡＲＱ−ＡＣＫコードブックを生成する。
【００８９】
この場合、ＵＥは、ＵＲＬＬＣに対応するＰＤＳＣＨを受信した場合、ＵＲＬＬＣ用のＨＡＲＱ−ＡＣＫコードブックを生成してＨＡＲＱ−ＡＣＫを送信する。一方で、ｅＭＢＢに対応するＰＤＳＣＨを受信した場合、ｅＭＢＢ用のＨＡＲＱ−ＡＣＫコードブックを生成してＨＡＲＱ−ＡＣＫを送信する。
【００９０】
ＵＥは、ＰＤＳＣＨをスケジューリングするＤＣＩで指定されるＭＣＳテーブル（ＭＣＳテーブル３／ＭＣＳテーブル１又は２）、ＰＤＳＣＨをスケジューリングするＤＣＩのＣＲＣスクランブルに利用されるＲＮＴＩ（所定ＲＮＴＩ／Ｃ−ＲＮＴＩ）、及びＰＤＳＣＨをスケジューリングするＤＣＩが指定するリソース（ＵＲＬＬＣリソース／ｅＭＢＢリソース）の少なくとも一つに基づいて、ＨＡＲＱ−ＡＣＫが対応する通信サービスを判断してもよい。
【００９１】
例えば、複数のＵＲＬＬＣ用のＰＤＳＣＨにそれぞれ対応するＨＡＲＱ−ＡＣＫの送信が、同じスロット、同じシンボル（又は、重複するシンボル）、又は同じＰＵＣＣＨリソースを指定された場合、ＵＥは、ＵＲＬＬＣ用のＨＡＲＱ−ＡＣＫコードブックを生成する。
【００９２】
また、複数のｅＭＢＢ用のＰＤＳＣＨにそれぞれ対応するＨＡＲＱ−ＡＣＫの送信が、同じスロット、同じシンボル（又は、重複するシンボル）、又は同じＰＵＣＣＨリソースを指定された場合、ＵＥは、ｅＭＢＢ用のＨＡＲＱ−ＡＣＫコードブックを生成する。
【００９３】
ｅＭＢＢ用のＰＤＳＣＨに対するＨＡＲＱ−ＡＣＫと、ＵＲＬＬＣ用のＰＤＳＣＨに対するＨＡＲＱ−ＡＣＫを送信するスロット（又は、ＰＵＣＣＨリソース、シンボル等）が重複する場合も考えられる。この場合、ＵＥは異なるＨＡＲＱ−ＡＣＫコードブックを生成した上で、異なるリソース（例えば、ＰＵＣＣＨリソース）を選択して送信を行ってもよい。
【００９４】
このように、通信サービス（又は、要求条件が異なるサービス）毎にＨＡＲＱ−ＡＣＫコードブックの生成を独立して制御することにより、通信サービス毎に適切なＨＡＲＱ−ＡＣＫ送信を行うことができる。
【００９５】
（第３の態様）
第３の態様では、第１の通信サービス（以下、ｅＭＢＢとも記す）に適用する復調用参照信号（例えば、ＤＭＲＳ）と、第２の通信サービス（以下、ＵＲＬＬＣとも記す）に適用するＤＭＲＳの構成を別々に制御する。ＤＭＲＳの構成は、ＤＭＲＳ配置、又はDM-RS  settingと呼んでもよい。
【００９６】
ＮＲでは、共有チャネル（ＰＵＳＣＨ、ＰＤＳＣＨ）のために利用されるＤＭＲＳが、ＤＭＲＳタイプ（DMRS  type）によって、リソース（リソースエレメント（ＲＥ：Resource  Element））マッピングパターンが決定される。ＵＥは、各チャネルのためのＤＭＲＳ構成タイプを、基地局から上位レイヤシグナリングを用いて設定されてもよい。
【００９７】
ＤＭＲＳタイプとは、ＤＭＲＳのリソース要素（ＲＥ）に対するマッピングパターンを示す情報である。タイプ１では、スロットの先頭シンボルを基準としてＤＭＲＳがマッピングされるのに対して、タイプ２では、ＰＤＳＣＨにスケジューリングされる開始シンボルを基準としてＤＭＲＳがマッピングされる。ＤＭＲＳタイプは、上位レイヤパラメータ（例えば、「DMRS-DownlinkConfig」に含まれる「dmrs-Type」）によって示されてもよい。
【００９８】
ＵＥは、ＤＬ（ＵＬ）  ＤＭＲＳを、例えばＤＬ（ＵＬ）についてＲＲＣ情報要素（「dmrs-Type」情報要素）が設定される場合にはタイプ２、設定されない場合にはタイプ１であると判断してもよい。
【００９９】
また、共有チャネル用のＤＭＲＳの数（又は、数と位置）が、追加用ＤＭＲＳの有無によって決定されてもよい。追加ＤＭＲＳの数又は位置を示す情報として、追加でマッピングされるＤＭＲＳの位置を示す追加ＤＭＲＳの位置情報が基地局からＵＥに通知されてもよい。当該追加ＤＭＲＳの位置情報は、上位レイヤパラメータ（例えば、「DMRS-DownlinkConfig」に含まれる「dmrs-AdditionalPosition」）によって示されてもよい。
【０１００】
ＵＥ及び基地局は、ｅＭＢＢの共有チャネル等に利用するＤＭＲＳ構成と、ＵＲＬＬＣの共有チャネル等に利用するＤＭＲＳ構成とを別々に設定してもよい。別々に設定するＤＭＲＳの構成は、例えば、ＤＭＲＳタイプ、数、及び位置の少なくとも一つであってもよい。
【０１０１】
例えば、基地局は、ｅＭＢＢのＤＭＲＳ構成と、ＵＲＬＬＣのＤＭＲＳ構成とを上位レイヤを利用して別々にＵＥに設定する。例えば、基地局は、ｅＭＢＢのＤＭＲＳ構成を所定の上位レイヤパラメータ（例えば、DMRS-DownlinkConfig又はDMRS-UplinkConfig）を利用してＵＥに設定する。また、基地局は、ＵＲＬＬＣのＤＭＲＳ構成を当該所定の上位レイヤパラメータと異なる上位レイヤパラメータ、あるいは、当該所定の上位レイヤパラメータに含まれる他の情報要素を利用してＵＥに設定してもよい。
【０１０２】
また、ＤＭＲＳ構成を通信サービス毎に別々に設定する方法を適用するか否かについて、上位レイヤシグナリング（例えば、SeparateDMRSconfig）を利用して基地局からＵＥに設定してもよい。
【０１０３】
通信サービス毎にＤＭＲＳ構成の設定を別々に行う方法が設定された場合、ＵＥは、基地局から設定された通信サービス毎のＤＭＲＳ構成に基づいて、ＵＲＬＬＣ用の送受信について適用するＤＭＲＳ構成と、ｅＭＢＢ用の送受信について適用するＤＭＲＳ構成を別々に制御する。
【０１０４】
ＵＥは、共有チャネルをスケジューリングするＤＣＩで指定されるＭＣＳテーブル（ＭＣＳテーブル３／ＭＣＳテーブル１又は２）、共有チャネルをスケジューリングするＤＣＩのＣＲＣスクランブルに利用されるＲＮＴＩ（所定ＲＮＴＩ／Ｃ−ＲＮＴＩ）、及び共有チャネルをスケジューリングするＤＣＩが指定するリソース（ＵＲＬＬＣリソース／ｅＭＢＢリソース）の少なくとも一つに基づいて、適用するＤＭＲＳ構成を選択してもよい。
【０１０５】
例えば、共有チャネルがｅＭＢＢに対応する場合（例えば、ＭＣＳテーブル１又は２、所定ＲＮＴＩ非適用、又はＵＲＬＬＣリソースの非設定）、第１の上位レイヤパラメータ（例えば、DMRS-DownlinkConfig又はDMRS-UplinkConfig）で設定されるＤＭＲＳ構成を適用する。一方で、共有チャネルがＵＲＬＬＣに対応する場合（例えば、ＭＣＳテーブル３、所定ＲＮＴＩ適用、又はＵＲＬＬＣリソースの設定）、ＵＥは、第１の上位レイヤパラメータと異なる第２の上位レイヤパラメータで設定されるＤＭＲＳ構成を適用する。
【０１０６】
このように、通信サービス（又は、要求条件が異なるサービス）毎にＤＭＲＳ構成を独立して制御することにより、通信サービス毎に適切な送受信を行うことができる。
【０１０７】
（第４の態様）
第４の態様では、第１の通信サービス（以下、ｅＭＢＢとも記す）に適用する位相雑音補正用参照信号（ＰＴＲＳ：Phase-Tracking  Reference  Signal）と、第２の通信サービス（以下、ＵＲＬＬＣとも記す）に適用するＰＴＲＳの構成（PT-RS  settingとも呼ぶ）を別々に制御する。ＰＴＲＳの構成は、ＰＴＲＳ配置、又はPT-RS  settingと呼んでもよい。
【０１０８】
ＮＲにおいて、基地局（例えば、ｇＮＢ）は、下りリンクで位相追従参照信号（ＰＴＲＳ：Phase  Tracking  Reference  Signal）を送信する。基地局は、ＰＴＲＳを、例えば１サブキャリアにおいて時間方向に連続又は非連続にマッピングして送信してもよい。基地局は、ＰＴＲＳを、下り共有チャネル（ＰＤＳＣＨ：Physical  Downlink  Shared  Channel）を送信する期間（スロット、シンボルなど）の少なくとも一部において送信してもよい。基地局が送信するＰＴＲＳは、ＤＬ  ＰＴＲＳと呼ばれてもよい。
【０１０９】
また、ＵＥは、上りリンクで位相追従参照信号（ＰＴＲＳ）を送信する。ＵＥは、ＰＴＲＳを、例えば１サブキャリアにおいて時間方向に連続又は非連続にマッピングして送信してもよい。ＵＥは、ＰＴＲＳを、上り共有チャネル（ＰＵＳＣＨ：Physical  Uplink  Shared  Channel）を送信する期間（スロット、シンボルなど）の少なくとも一部において送信してもよい。ＵＥが送信するＰＴＲＳは、ＵＬ  ＰＴＲＳと呼ばれてもよい。以下、ＵＬ  ＰＴＲＳのことを単にＰＴＲＳと呼ぶ。
【０１１０】
ＵＥは、上位レイヤシグナリングの設定（例えば、PTRS-UplinkConfig情報要素の有無）に基づいて、上りリンクにＰＴＲＳがあるか否かを判断してもよい。ＵＥは、ＰＵＳＣＨのためのリソースブロックにＰＴＲＳが存在すると想定してもよい。基地局は、ＵＥから送信されるＰＴＲＳに基づいて位相ノイズを決定し、受信信号の位相誤差を補正してもよい。
【０１１１】
ＵＥ及び基地局は、ｅＭＢＢに利用するＰＴＲＳ構成と、ＵＲＬＬＣに利用するＰＴＲＳ構成とを別々に設定してもよい。別々に設定するＰＴＲＳの構成は、例えば、時間周波数密度（time/frequency-domain  density）、及びＰＴＲＳの設定有無の少なくとも一つであってもよい。例えば、一方（例えば、ＵＲＬＬＣ用）のＰＴＲＳの時間周波数密度を他方（例えば、ｅＭＢＢ用）のＰＴＲＳの時間周波数密度より高くなるように設定してもよい。あるいは、一方（例えば、ＵＲＬＬＣ用）のＰＴＲＳを設定し、他方（例えば、ｅＭＢＢ用）のＰＴＲＳを設定しない構成としてもよい。
【０１１２】
基地局は、ｅＭＢＢのＰＴＲＳ構成と、ＵＲＬＬＣのＰＴＲＳ構成とを上位レイヤを利用して別々にＵＥに設定してもよい。例えば、基地局は、ｅＭＢＢのＰＴＲＳ構成を所定の上位レイヤパラメータ（例えば、PTRS-DownlinkConfig又はPTRS-UplinkConfig）を利用してＵＥに設定する。また、基地局は、ＵＲＬＬＣのＰＴＲＳ構成を当該所定の上位レイヤパラメータと異なる上位レイヤパラメータ、あるいは、当該所定の上位レイヤパラメータに含まれる他の情報要素を利用してＵＥに設定してもよい。
【０１１３】
また、ＰＴＲＳ構成を通信サービス毎に別々に設定する方法を適用するか否かについて、上位レイヤシグナリング（例えば、SeparatePTRSconfig）を利用して基地局からＵＥに設定してもよい。
【０１１４】
通信サービス毎にＰＴＲＳ構成を別々に行う方法が設定された場合、ＵＥは、基地局から設定された通信サービス毎のＰＴＲＳ構成に基づいて、ＵＲＬＬＣに利用するＰＴＲＳ構成と、ｅＭＢＢ用に利用するＰＴＲＳ構成を別々に制御する。
【０１１５】
ＵＥは、共有チャネルをスケジューリングするＤＣＩで指定されるＭＣＳテーブル（ＭＣＳテーブル３／ＭＣＳテーブル１又は２）、共有チャネルをスケジューリングするＤＣＩのＣＲＣスクランブルに利用されるＲＮＴＩ（所定ＲＮＴＩ／Ｃ−ＲＮＴＩ）、及び共有チャネルをスケジューリングするＤＣＩが指定するリソース（ＵＲＬＬＣリソース／ｅＭＢＢリソース）の少なくとも一つに基づいて、適用するＰＴＲＳ構成を選択してもよい。
【０１１６】
例えば、ＵＲＬＬＣに対応する場合（例えば、ＭＣＳテーブル３、所定ＲＮＴＩ適用、又はＵＲＬＬＣリソースの設定）、ＵＥは、ＵＲＬＬＣ用の所定の上位レイヤパラメータの設定有無に応じて、ＰＴＲＳの送信又は受信を制御してもよい。所定の上位レイヤパラメータは、例えば、「DMRS-DownlinkConfig」又は「DMRS-UplinkConfig」に含まれる「URLLCphaseTrackingRS」、あるいは「URLLC-DMRS-DownlinkConfig」又は「URLLC-DMRS-UplinkConfig」に含まれる「phaseTrackingRS」であってもよい。ＵＥは、当該所定の上位レイヤパラメータが設定されない場合、ＰＴＲＳの送信又は受信を行わないように制御してもよい。
【０１１７】
また、ＵＲＬＬＣ用の所定の上位レイヤパラメータが設定された場合、ＵＥは、ｅＭＢＢのＰＴＲＳ構成の通知に利用される上位レイヤパラメータ（例えば、PTRS-DownlinkConfig又はPTRS-UplinkConfig、あるいはPTRS-DownlinkConfig又はPTRS-UplinkConfigに含まれるfrequencyDensity、timeDensity等）とは異なる上位レイヤパラメータに基づいてＰＴＲＳの送信又は受信を制御する。
【０１１８】
また、ｅＭＢＢに対応する場合（例えば、ＭＣＳテーブル１又は２、所定ＲＮＴＩ非適用、又はｅＭＢＢリソースの設定）、ＵＥは、ｅＭＢＢ用の所定の上位レイヤパラメータの設定有無に応じて、ＰＴＲＳの送信又は受信を制御してもよい。ｅＭＢＢ用の所定の上位レイヤパラメータは、例えば、「DMRS-DownlinkConfig」又は「DMRS-UplinkConfig」に含まれる「phaseTrackingRS」であってもよい。ＵＥは、当該所定の上位レイヤパラメータが設定されない場合、ＰＴＲＳの送信又は受信を行わないように制御してもよい。
【０１１９】
ｅＭＢＢ用の所定の上位レイヤパラメータが設定された場合、ＵＥは、ｅＭＢＢのＰＴＲＳ構成の通知に利用される上位レイヤパラメータ（例えば、PTRS-DownlinkConfig又はPTRS-UplinkConfig）に基づいてＰＴＲＳの送信又は受信を制御する。
【０１２０】
このように、通信サービス（又は、要求条件が異なるサービス）毎にＰＴＲＳ構成を独立して制御することにより、通信サービス毎に適切な送受信を行うことができる。
【０１２１】
（第５の態様）
第５の態様では、第１の通信サービス（以下、ｅＭＢＢとも記す）に対して設定するＰＵＣＣＨリソースと、第２の通信サービス（以下、ＵＲＬＬＣとも記す）に対して設定するＰＵＣＣＨリソースを別々に制御する。なお、ＰＵＣＣＨリソースは、ＰＵＣＣＨリソースセットと読み替えてもよい。
【０１２２】
＜ＰＵＣＣＨリソース＞
ＮＲでは、ＰＵＣＣＨ用の一以上のリソース（ＰＵＣＣＨリソース）のセットが上位レイヤシグナリングによりに設定（configure）されてもよい。
【０１２３】
例えば、一以上のＰＵＣＣＨリソースを含むセット（ＰＵＣＣＨリソースセット）は、ＣＣ内に設定される部分的な帯域（帯域幅部分（ＢＷＰ：Bandwidth  Part））毎に、上位レイヤシグナリングにより設定されてもよい。
【０１２４】
また、上位レイヤシグナリングにより設定されるＰＵＣＣＨリソースセット内の各ＰＵＣＣＨリソースは、ＤＣＩ内の所定フィールド（ＰＵＣＣＨリソース識別子（ＰＲＩ：PUCCH  resource  indicator/indication）フィールド、ＡＣＫ／ＮＡＣＫリソース識別子（ＡＲＩ：ACK/NACK  Resource  Indicator）フィールド、ＡＣＫ／ＮＡＣＫリソースオフセット（ＡＲＯ：ACK/NACK  Resource  Offset）フィールド、第２のフィールド等ともいう）の各値に関連付けられてもよい。当該ＤＣＩは、ＰＤＳＣＨのスケジューリングに用いられるＤＣＩ（ＤＬアサインメント、ＤＣＩフォーマット１＿０又は１＿１）であってもよい。
【０１２５】
ＵＥは、ＤＣＩ内のＰＲＩフィールドの値に基づいて、ＵＣＩの送信に用いられるＰＵＣＣＨリソースを決定する。当該ＰＲＩフィールドはｘビット（例えば、ｘ＝３）であってもよい。ＰＵＣＣＨリソースセットが２のｘ乗（例えば、ｘ＝３なら８）以下のＰＵＣＣＨリソースを含む場合、ユーザ端末は、ＰＲＩフィールドの値に関連付けられるＰＵＣＣＨリソースをＵＣＩの送信用に決定してもよい。
【０１２６】
一方、ＰＵＣＣＨリソースセットが２のｘ乗（例えば、ｘ＝３なら８）を超えるＰＵＣＣＨリソースを含む場合、ユーザ端末は、ＰＲＩフィールドの値（ΔＰＲＩ、ＰＲＩ、ＡＲＩ、ＡＲＯ等ともいう）に加えて、他のパラメータに基づいて、ＵＣＩの送信用のＰＵＣＣＨリソースを決定してもよい。当該他のパラメータは、以下の少なくとも一つを含んでもよい。
・ＰＲＩフィールドを含むＤＣＩを伝送する下り制御チャネル（例えば、ＰＤＣＣＨ：Physical  Downlink  Control  Channel）の受信用の制御リソースセット（ＣＯＲＥＳＥＴ：Control  Resource  Set）ｐ内の制御チャネル要素（ＣＣＥ：Control  Channel  Element）の数（ＮＣＣＥ，ｐ）
・当該下り制御チャネルの受信用のＣＣＥ（例えば、最初のＣＣＥ）のインデックス（ｎＣＣＥ，ｐ、ＣＣＥインデックス）
【０１２７】
なお、各ＰＵＣＣＨリソースは、例えば、ＰＵＣＣＨに割り当てられるシンボル数、シンボルの開始インデックス、ＰＵＣＣＨに割り当てられるリソースブロック（物理リソースブロック（ＰＲＢ：Physical  Resource  Block）等ともいう）、当該リソースブロックの開始インデックス、スロット内で周波数ホッピングを適用するか否か、周波数ホッピングが適用される場合の第２ホップのＰＲＢの開始インデックス等の少なくとも一つを含んでもよい。
【０１２８】
また、各ＰＵＣＣＨリソースには、上記ＰＵＣＣＨフォーマットが関連付けられ、関連付けられるＰＵＣＣＨフォーマット固有のリソース（例えば、ＰＦ０の初期巡回シフト、ＰＦ１の時間領域のＯＣＣ、ＰＦ４のＯＣＣ長、ＯＣＣインデックス等）を含んでもよい。
【０１２９】
ＵＥ及び基地局は、ｅＭＢＢに利用するＰＵＣＣＨリソース（又は、ＰＵＣＣＨリソースセット）と、ＵＲＬＬＣに利用するＰＵＣＣＨリソース（又は、ＰＵＣＣＨリソースセット）とを別々に設定してもよい。
【０１３０】
例えば、基地局は、ｅＭＢＢ用のＰＵＣＣＨリソースと、ＵＲＬＬＣ用のＰＵＣＣＨリソースとを上位レイヤを利用して別々にＵＥに設定する。例えば、基地局は、ｅＭＢＢ用のＰＵＣＣＨリソースを所定の上位レイヤパラメータ（例えば、PUCCH-Configに含まれるPUCCH-ResourceSet、又はPUCCH-Resourceに含まれるeMBB-PUCCH）を利用してＵＥに設定する。また、基地局は、ＵＲＬＬＣのＰＵＣＣＨリソースを当該所定の上位レイヤパラメータと異なる上位レイヤパラメータ（例えば、PUCCH-Resourceに含まれるURLLC-PUCCH）、あるいは、当該所定の上位レイヤパラメータに含まれる他の情報要素を利用してＵＥに設定してもよい。
【０１３１】
また、ＰＵＣＣＨリソースを通信サービス毎に別々に設定する方法を適用するか否かについて、上位レイヤシグナリング（例えば、SeparatePUCCHresourceSet）を利用して基地局からＵＥに設定してもよい。
【０１３２】
通信サービス毎にＤＭＲＳ構成の設定を別々に行う方法が設定された場合、ＵＥは、基地局から設定された通信サービス毎のＰＵＣＣＨリソース構成に基づいて、ＵＲＬＬＣ用のＰＵＣＣＨ送信に適用するＰＵＣＣＨリソースと、ｅＭＢＢ用のＰＵＣＣＨ送信に適用するＰＵＣＣＨリソースを別々に制御する。
【０１３３】
ＵＥは、共有チャネルをスケジューリングするＤＣＩで指定されるＭＣＳテーブル（ＭＣＳテーブル３／ＭＣＳテーブル１又は２）、共有チャネルをスケジューリングするＤＣＩのＣＲＣスクランブルに利用されるＲＮＴＩ（所定ＲＮＴＩ／Ｃ−ＲＮＴＩ）、及び共有チャネルをスケジューリングするＤＣＩが指定するリソース（ＵＲＬＬＣリソース／ｅＭＢＢリソース）の少なくとも一つに基づいて、適用するＰＵＣＣＨリソースを選択してもよい。
【０１３４】
例えば、ＵＲＬＬＣに対応するＰＵＣＣＨを送信する場合（例えば、ＭＣＳテーブル３、所定ＲＮＴＩ適用、又はＵＲＬＬＣリソースの設定）、ＵＥは、ｅＭＢＢ用の所定の上位レイヤパラメータと異なる上位レイヤパラメータで設定されるＰＵＣＣＨリソースを適用する。一方で、ｅＭＢＢに対応するＰＵＣＣＨを送信する場合、ＵＥは、所定の上位レイヤパラメータで設定されるＤＭＲＳ構成を適用する。
【０１３５】
また、ＰＵＣＣＨリソースセットは通信サービス毎に設定せず、各ＰＵＣＣＨリソースを通信サービス毎に設定してもよい。この場合、ＵＥは、適用する通信サービスに基づいて設定されたＰＵＣＣＨリソースセットの中から所定のＰＵＣＣＨリソースを選択して利用してもよい。
【０１３６】
このように、通信サービス（又は、要求条件が異なるサービス）毎にＰＵＣＣＨリソースを独立して制御することにより、通信サービス毎に柔軟にＰＵＣＣＨリソースを設定することができる。
【０１３７】
（第６の態様）
第６の態様では、第１の通信サービス（以下、ｅＭＢＢとも記す）に対して設定する繰り返し送信回数と、第２の通信サービス（以下、ＵＲＬＬＣとも記す）に対して設定する繰り返し送信回数を別々に制御する。繰り返し送信回数は、繰り返しファクタと呼ばれてもよい。
【０１３８】
ＮＲでは、チャネル及び信号の少なくとも一つ（チャネル／信号）を繰り返して（repetition）送信することが検討されている。当該チャネル／信号は、例えば、ＰＤＳＣＨ、ＰＤＣＣＨ、ＰＵＳＣＨ、ＰＵＣＣＨ、ＤＬ−ＲＳ、上り参照信号（ＵＬ−ＲＳ）等であるが、これに限られない。
【０１３９】
繰り返しの回数は、繰り返し係数（repetition  factor）Ｋ又はアグリゲーション係数（aggregation  factor）Ｋとも呼ばれる。例えば、繰り返し係数Ｋは、あらかじめ設定された複数の値（例えば、２、４、８等）から選択されてもよい。また、ｎ回目の繰り返しは、ｎ回目の送信機会（transmission  occasion）等とも呼ばれ、繰り返しインデックスｋ（０≦ｋ≦Ｋ−１）によって識別されてもよい。
【０１４０】
例えば、ＵＥは、繰り返し係数Ｋを示す情報を上位レイヤレイヤシグナリングにより受信してもよい。ＵＥは、あるサービングセル又は当該あるサービングセル内の部分的な帯域（帯域幅部分（ＢＷＰ：Bandwidth  Part））において繰り返し送信されるＰＤＳＣＨをスケジューリングする当該ＤＣＩを検出する。
【０１４１】
ＵＥは、ＤＬ  ＢＷＰ内に設定されるＣＯＲＥＳＥＴ（当該ＣＯＲＥＳＥＴに関連付けられる一以上のサーチスペースのセット（ＳＳセット）又は当該ＳＳセットを構成するＰＤＣＣＨ候補）を監視（monitor）して、当該ＤＣＩを検出してもよい。ＵＥは、当該ＤＣＩを検出したスロットから所定期間後のＫ個の連続するスロットで当該ＰＤＳＣＨを受信する。
【０１４２】
具体的には、ＵＥは、上記ＤＣＩ内の以下の少なくとも一つのフィールド値（又は当該フィールド値が示す情報）に基づいて、Ｋ個の連続するスロットにおけるＰＤＳＣＨの受信処理（例えば、受信、デマッピング、復調、復号の少なくとも一つ）又はＰＵＳＣＨの送信処理（例えば、送信、マッピング、変調、符号化の少なくとも一つ）を制御する：
・時間領域リソース（例えば、開始シンボル、各スロット内のシンボル数等）の割り当て、
・周波数領域リソース（例えば、所定数のリソースブロック（ＲＢ：Resource  Block）、所定数のリソースブロックグループ（ＲＢＧ：Resource  Block  Group））の割り当て、
・変調及び符号化方式（ＭＣＳ：Modulation  and  Coding  Scheme）インデックス、
・復調用参照信号（ＤＭＲＳ：Demodulation  Reference  Signal）の構成（configuration）、
・送信構成指示（ＴＣＩ：Transmission  Configuration  Indication又はTransmission  Configuration  Indicator）の状態（ＴＣＩ状態（TCI-state））。
【０１４３】
ＵＥは、上位レイヤシグナリングにより準静的（semi-static）に設定されるＫ個の連続するスロット間でＰＤＳＣＨに割り当てられる時間領域リソース、同じ周波数領域リソース、ＭＣＳインデックス、ＤＭＲＳの構成が同じと想定して、各スロットにおけるＰＤＳＣＨの受信を制御する。すなわち、ユーザ端末は、単一のＤＣＩ内の上記フィールド値が、Ｋ個の連続するスロット全てに適用されると想定する。
【０１４４】
ＵＥ及び基地局は、ｅＭＢＢのＵＬチャネル又はＤＬチャネルに適用する繰り返しファクタと、ＵＲＬＬＣのＵＬチャネル又はＤＬチャネルに適用する繰り返しファクタとを別々に設定してもよい。ＵＬチャネルは、ＰＵＳＣＨ及びＰＵＣＣＨの少なくとも一つであってもよいし、ＤＬチャネルは、ＰＤＳＣＨ及びＰＤＣＣＨの少なくとも一つであってもよい。例えば、あらかじめ規定する繰り返し送信回数の候補数、及び繰り返し送信回数の最大値を通信サービス毎に別々に仕様に規定してもよい。
【０１４５】
例えば、基地局は、ｅＭＢＢ用の繰り返しファクタと、ＵＲＬＬＣ用の繰り返しファクタとを上位レイヤを利用して別々にＵＥに設定する。例えば、基地局は、ｅＭＢＢ用の繰り返しファクタを所定の上位レイヤパラメータ（例えば、repK、pucch-Repetition-F1-3-4、又はpusch-RepetitionMultiSlots）を利用してＵＥに設定する。また、基地局は、ＵＲＬＬＣ用の繰り返しファクタを当該所定の上位レイヤパラメータと異なる上位レイヤパラメータ、あるいは、当該所定の上位レイヤパラメータに含まれる他の情報要素を利用してＵＥに設定してもよい。
【０１４６】
また、繰り返しファクタを通信サービス毎に別々に設定する方法を適用するか否かについて、上位レイヤシグナリング（例えば、SeparatePUCCHresourceSet）を利用して基地局からＵＥに設定してもよい。
【０１４７】
通信サービス毎（又は、通信サービスのチャネル種別毎）に繰り返しファクタの設定を別々に行う方法が設定された場合、ＵＥは、基地局から設定された通信サービス毎の繰り返しファクタに基づいて、ＵＲＬＬＣに適用する繰り返しファクタと、ｅＭＢＢに適用する繰り返しファクタを別々に制御する。
【０１４８】
ＵＥは、ＤＣＩで指定されるＭＣＳテーブル（ＭＣＳテーブル３／ＭＣＳテーブル１又は２）、ＤＣＩのＣＲＣスクランブルに利用されるＲＮＴＩ（所定ＲＮＴＩ／Ｃ−ＲＮＴＩ）、及び共有チャネルをスケジューリングするＤＣＩが指定するリソース（ＵＲＬＬＣリソース／ｅＭＢＢリソース）の少なくとも一つに基づいて、適用する繰り返しファクタを選択してもよい。
【０１４９】
例えば、ＵＥは、ＤＣＩでＭＣＳテーブル１又は２が指定された場合、ＤＣＩに所定ＲＮＴＩが適用されない場合、又はＵＲＬＬＣリソースが指定されない場合、第１の上位レイヤパラメータで設定される繰り返しファクタを適用する。一方で、ＵＥは、ＤＣＩでＭＣＳテーブル３が指定された場合、ＤＣＩに所定ＲＮＴＩが適用された場合、又はＵＲＬＬＣリソースが指定された場合、第２の上位レイヤパラメータで設定される繰り返しファクタを適用する。
【０１５０】
このように、ＵＥは、上記第１の態様−第６の態様で示した送信動作又は受信動作を、通信サービス種別（又は、ＭＣＳテーブル種別、ＲＮＴＩ種別、設定するリソース種別等）毎に別々に制御する。例えば、ＵＥは、通信サービス種別毎にそれぞれ別々の上位レイヤパラメータで設定された条件を適用してもよい。
【０１５１】
このように、通信サービス（又は、要求条件が異なるサービス）毎に繰り返しファクタを独立して制御することにより、通信サービス毎に繰り返し送信を柔軟に制御することができる。
【０１５２】
（無線通信システム）
以下、本開示の実施形態に係る無線通信システムの構成について説明する。この無線通信システムでは、上記実施形態に示す無線通信方法の少なくとも一つ又はこれらの組み合わせを用いて通信が行われる。
【０１５３】
図４は、一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１５４】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１５５】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity）をサポートしてもよい。ＭＲ−ＤＣは、ＬＴＥ（Ｅ−ＵＴＲＡ）の基地局（ｅＮＢ）がマスターノード（ＭＮ）となり、ＮＲの基地局（ｇＮＢ）がセカンダリーノード（ＳＮ）となるＬＴＥとＮＲとのデュアルコネクティビィティ（ＥＮ−ＤＣ：E-UTRA-NR  Dual  Connectivity）、ＮＲの基地局（ｇＮＢ）がＭＮとなり、ＬＴＥ（Ｅ−ＵＴＲＡ）の基地局（ｅＮＢ）がＳＮとなるＮＲとＬＴＥとのデュアルコネクティビィティ（ＮＥ−ＤＣ：NR-E-UTRA  Dual  Connectivity）等を含んでもよい。
【０１５６】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１５７】
ユーザ端末２０は、基地局１１及び基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０１５８】
ユーザ端末２０と基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と基地局１２との間は、相対的に高い周波数帯域（例えば、３．５ＧＨｚ、５ＧＨｚなど）で帯域幅が広いキャリアが用いられてもよいし、基地局１１との間と同じキャリアが用いられてもよい。なお、各基地局が利用する周波数帯域の構成はこれに限られない。
【０１５９】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１６０】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。
【０１６１】
例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【０１６２】
基地局１１と基地局１２との間（又は、２つの基地局１２間）は、有線（例えば、ＣＰＲＩ（Common  Public  Radio  Interface）に準拠した光ファイバ、Ｘ２インターフェースなど）又は無線によって接続されてもよい。
【０１６３】
基地局１１及び各基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各基地局１２は、基地局１１を介して上位局装置３０に接続されてもよい。
【０１６４】
なお、基地局１１は、相対的に広いカバレッジを有する基地局であり、マクロ基地局、集約ノード、ｅＮＢ（eNodeB）、送受信ポイント、などと呼ばれてもよい。また、基地局１２は、局所的なカバレッジを有する基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、基地局１１及び１２を区別しない場合は、基地局１０と総称する。
【０１６５】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１６６】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１６７】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１６８】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１６９】
下りＬ１／Ｌ２制御チャネルは、下り制御チャネル（ＰＤＣＣＨ（Physical  Downlink  Control  Channel）及び／又はＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）の少なくとも一つを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１７０】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１７１】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１７２】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線リンク品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１７３】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１７４】
＜基地局＞
図５は、一実施形態に係る基地局の全体構成の一例を示す図である。基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１７５】
下りリンクによって基地局１０からユーザ端末２０に送信されるユーザデータは、上位局装置３０から伝送路インターフェース１０６を介してベースバンド信号処理部１０４に入力される。
【０１７６】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１７７】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１７８】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１７９】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、基地局１０の状態管理、無線リソースの管理などを行う。
【０１８０】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の基地局１０と信号を送受信（バックホールシグナリング）してもよい。
【０１８１】
なお、送受信部１０３は、アナログビームフォーミングを実施するアナログビームフォーミング部をさらに有してもよい。アナログビームフォーミング部は、本開示に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ１０１は、例えばアレーアンテナにより構成することができる。また、送受信部１０３は、シングルＢＦ、マルチＢＦなどを適用できるように構成されてもよい。
【０１８２】
送受信部１０３は、送信ビームを用いて信号を送信してもよいし、受信ビームを用いて信号を受信してもよい。送受信部１０３は、制御部３０１によって決定された所定のビームを用いて信号を送信及び／又は受信してもよい。
【０１８３】
送受信部１０３は、上記各実施形態で述べた各種情報を、ユーザ端末２０から受信及び／又はユーザ端末２０に対して送信してもよい。
【０１８４】
例えば、送受信部１０３は、第１の変調及び符号化方式（ＭＣＳ）テーブル、及び第１のＭＣＳテーブルに規定された最小の符号化率より低い符号化率が規定された第２のＭＣＳテーブルの少なくとも一つを利用して送信されたＵＬ信号又はチャネルを受信する。また、送受信部１０３は、ＭＣＳテーブルに関する情報を含む下り制御情報を送信してもよい。
【０１８５】
図６は、一実施形態に係る基地局の機能構成の一例を示す図である。なお、本例では、本実施の形態における特徴部分の機能ブロックを主に示しており、基地局１０は、無線通信に必要な他の機能ブロックも有すると想定されてもよい。
【０１８６】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、基地局１０に含まれていればよく、一部又は全部の構成がベースバンド信号処理部１０４に含まれなくてもよい。
【０１８７】
制御部（スケジューラ）３０１は、基地局１０全体の制御を実施する。制御部３０１は、本開示に係る技術分野での共通認識に基づいて説明されるコントローラ、制御回路又は制御装置から構成することができる。
【０１８８】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１８９】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１９０】
制御部３０１は、同期信号（例えば、ＰＳＳ／ＳＳＳ）、下り参照信号（例えば、ＣＲＳ、ＣＳＩ−ＲＳ、ＤＭＲＳ）などのスケジューリングの制御を行う。
【０１９１】
制御部３０１は、ベースバンド信号処理部１０４によるデジタルＢＦ（例えば、プリコーディング）及び／又は送受信部１０３によるアナログＢＦ（例えば、位相回転）を用いて、送信ビーム及び／又は受信ビームを形成する制御を行ってもよい。
【０１９２】
制御部３０１は、上記第１の態様−第６の態様で示した送信動作又は受信動作を、通信サービス種別（又は、ＭＣＳテーブル種別、ＲＮＴＩ種別、設定するリソース種別等）毎に別々に制御する。例えば、通信サービス種別毎に異なる上位レイヤパラメータを設定してもよい。
【０１９３】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１９４】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理などが行われる。
【０１９５】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１９６】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１９７】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１９８】
測定部３０５は、受信した信号に関する測定を実施する。測定部３０５は、本開示に係る技術分野での共通認識に基づいて説明される測定器、測定回路又は測定装置から構成することができる。
【０１９９】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０２００】
＜ユーザ端末＞
図７は、一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０２０１】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０２０２】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０２０３】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０２０４】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０２０５】
なお、送受信部２０３は、アナログビームフォーミングを実施するアナログビームフォーミング部をさらに有してもよい。アナログビームフォーミング部は、本開示に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ２０１は、例えばアレーアンテナにより構成することができる。また、送受信部２０３は、シングルＢＦ、マルチＢＦなどを適用できるように構成されてもよい。
【０２０６】
送受信部２０３は、第１の変調及び符号化方式（ＭＣＳ）テーブル、及び第１のＭＣＳテーブルに規定された最小の符号化率より低い符号化率が規定された第２のＭＣＳテーブルの少なくとも一つを利用してＵＬ送信又はＤＬ受信を行う。
【０２０７】
図８は、一実施形態に係るユーザ端末の機能構成の一例を示す図である。なお、本例においては、本実施の形態における特徴部分の機能ブロックを主に示しており、ユーザ端末２０は、無線通信に必要な他の機能ブロックも有すると想定されてもよい。
【０２０８】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０２０９】
制御部４０１は、ユーザ端末２０全体の制御を実施する。制御部４０１は、本開示に係る技術分野での共通認識に基づいて説明されるコントローラ、制御回路又は制御装置から構成することができる。
【０２１０】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０２１１】
制御部４０１は、基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０２１２】
制御部４０１は、ベースバンド信号処理部２０４によるデジタルＢＦ（例えば、プリコーディング）及び／又は送受信部２０３によるアナログＢＦ（例えば、位相回転）を用いて、送信ビーム及び／又は受信ビームを形成する制御を行ってもよい。
【０２１３】
また、制御部４０１は、適用するＭＣＳテーブルの種別に応じて、ＵＬ送信の送信条件／パラメータ、又はＤＬ受信の受信条件／パラメータを別々に制御する。
【０２１４】
例えば、制御部４０１は、適用するＭＣＳテーブルの種別に応じて送信電力制御コマンドの蓄積を別々に制御してもよい。また、制御部４０１は、適用するＭＣＳテーブルの種別に応じて送達確認信号の送信に利用するコードブックを別々に生成してもよい。また、制御部４０１は、適用するＭＣＳテーブルの種別に応じて参照信号の配置を別々に制御してもよい。また、制御部４０１は、適用するＭＣＳテーブルの種別に応じて上り制御チャネルのリソースの選択を制御してもよい。また、制御部４０１は、適用するＭＣＳテーブルの種別に応じてＵＬ送信の繰り返し回数を別々に制御してもよい。
【０２１５】
また、制御部４０１は、上記第１の態様−第６の態様で示した送信動作又は受信動作を、通信サービス種別（又は、ＭＣＳテーブル種別、ＲＮＴＩ種別、設定するリソース種別等）毎に別々に制御する。例えば、通信サービス種別毎に異なる上位レイヤパラメータで設定された条件を適用してもよい。
【０２１６】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０２１７】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、基地局１０から通知される下り制御信号にＵＬグラントが含まれている場合に、制御部４０１から上りデータ信号の生成を指示される。
【０２１８】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０２１９】
受信信号処理部４０４は、送受信部２０３から入力された受信信号に対して、受信処理（例えば、デマッピング、復調、復号など）を行う。ここで、受信信号は、例えば、基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０２２０】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０２２１】
測定部４０５は、受信した信号に関する測定を実施する。測定部４０５は、本開示に係る技術分野での共通認識に基づいて説明される測定器、測定回路又は測定装置から構成することができる。
【０２２２】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
送受信部２０３は、基地局１０に対して、ＢＦＲＱ、ＰＢＦＲＱなどを送信してもよい。
【０２２３】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０２２４】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit/section）、送信機（transmitter）などと呼称されてもよい。いずれも、上述したとおり、実現方法は特に限定されない。
【０２２５】
例えば、本開示の一実施形態における基地局、ユーザ端末などは、本開示の無線通信方法の処理を行うコンピュータとして機能してもよい。図９は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２２６】
なお、以下の説明では、「装置」という文言は、回路、デバイス、ユニットなどに読み替えることができる。基地局１０及びユーザ端末２０のハードウェア構成は、図に示した各装置を１つ又は複数含むように構成されてもよいし、一部の装置を含まずに構成されてもよい。
【０２２７】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０２２８】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２２９】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０２３０】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０２３１】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２３２】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２３３】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。送受信部１０３は、送信部１０３ａと受信部１０３ｂとで、物理的に又は論理的に分離された実装がなされてもよい。
【０２３４】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２３５】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２３６】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２３７】
（変形例）
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２３８】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２３９】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２４０】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２４１】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２４２】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２４３】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２４４】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２４５】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２４６】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２４７】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２４８】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２４９】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２５０】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２５１】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２５２】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２５３】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２５４】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２５５】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２５６】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２５７】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２５８】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２５９】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２６０】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２６１】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２６２】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２６３】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２６４】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２６５】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２６６】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２６７】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２６８】
本開示において使用する「システム」及び「ネットワーク」という用語は、互換的に使用され得る。
【０２６９】
本開示において、「プリコーディング」、「プリコーダ」、「ウェイト（プリコーディングウェイト）」、「擬似コロケーション（ＱＣＬ：Quasi-Co-Location）」、「送信電力」、「位相回転」、「アンテナポート」、「アンテナポートグル−プ」、「レイヤ」、「レイヤ数」、「ランク」、「ビーム」、「ビーム幅」、「ビーム角度」、「アンテナ」、「アンテナ素子」、「パネル」などの用語は、互換的に使用され得る。
【０２７０】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２７１】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２７２】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２７３】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２７４】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２７５】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２７６】
同様に、本開示におけるユーザ端末は、基地局で読み替えてもよい。この場合、上述のユーザ端末２０が有する機能を基地局１０が有する構成としてもよい。
【０２７７】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２７８】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２７９】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２８０】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２８１】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２８２】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２８３】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２８４】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２８５】
また、「判断（決定）」は、「想定する（assuming）」、「期待する（expecting）」、「みなす（considering）」などで読み替えられてもよい。
【０２８６】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２８７】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２８８】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２８９】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２９０】
本開示において、例えば、英語でのa,  an及びtheのように、翻訳によって冠詞が追加された場合、本開示は、これらの冠詞の後に続く名詞が複数形であることを含んでもよい。
【０２９１】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020031357.tif 000007
【図２】
2020031357.tif 000008
【図３】
2020031357.tif 000009
【図４】
2020031357.tif 000010
【図５】
2020031357.tif 000011
【図６】
2020031357.tif 000012
【図７】
2020031357.tif 000013
【図８】
2020031357.tif 000014
【図９】
2020031357.tif 000015
【国際調査報告】
2020031357.tif 000016
2020031357.tif 000017